(57)【要約】【課題】  画像形成装置の加熱ローラについて、このウォームアップ期間の短縮化および省電力化を図る。【解決手段】  メイン加熱部Ｈ１は画像形成装置の加熱ローラ本体３５の中央部を中心に加熱する。サブ加熱部Ｈ２は加熱ローラ本体３５の端部を加熱する。温度制御部３３は、加熱ローラ本体の中央部および端部の温度に基づきメイン加熱部Ｈ１およびサブ加熱部Ｈ２を昇温制御する。温度制御部３３は、加熱ローラ本体３５の端部における低温側の定着可能温度と高温側の定着可能温度との間を、傾きの小さいものから複数の温度特性で結んでなる折れ線特性を設定し、加熱ローラ本体３５の端部温度が加熱開始温度に対応する折れ線特性上の温度に達したとき、加熱ローラ本体の端部が定着可能温度に達したと判別する。【選択図】  図３
2011059490.tif 000002
【特許請求の範囲】
【請求項１】
画像形成装置に配置された加熱ローラ本体と、
この加熱ローラ本体に内蔵されこの中央部を中心に加熱するメイン加熱部と、
前記加熱ローラ本体に内蔵されこの端部を中心に加熱するサブ加熱部と、
前記加熱ローラ本体中央部の温度を検出する中央温度検出部と、
前記加熱ローラ本体端部温度を検出する端部温度検出部と、
前記中央温度検出部および端部温度検出部の検出温度に基づき前記メイン加熱部およびサブ加熱部を昇温制御する温度制御部と、
を具備し、
前記温度制御部は、前記加熱ローラ本体端部における低温側の定着可能温度と高温側の定着可能温度との間を、前記加熱ローラ本体端部の加熱開始温度に対応して定着可能温度が上昇する温度特性であって傾きの小さいものから複数の温度特性で結んでなる折れ線特性が設定され、前記加熱ローラ本体の端部温度が前記加熱開始温度に対応する前記折れ線特性上の温度に達したとき、前記加熱ローラ本体端部が前記定着可能温度に達したと判別することを特徴とする定着温度制御装置。
【請求項２】
前記温度制御部は、連続する２本の前記温度特性からなる前記折れ線特性が設定されてなる請求項１記載の定着温度制御装置。
【請求項３】
前記温度制御部は、前記低温側の定着可能温度として前記加熱ローラ本体端部の定着可能下限温度を、前記高温側の定着可能温度として前記加熱ローラ本体端部の定着可能上限温度を用い、それらの間で前記折れ線特性が設定されてなる請求項１又は２記載の定着温度制御装置。
【請求項４】
前記温度制御部は、少なくとも前記サブ加熱部を昇温制御してから所定期間内に再加熱するとき、前記折れ線特性に基づき前記定着可能温度に達したと判別する請求項１〜３いずれか１記載の定着温度制御装置。
【請求項５】
前記請求項１〜４いずれか１記載の定着温度制御装置と、画像データに基づき画像形成する画像像形成部とを有することを特徴とする画像形成装置。
【発明の詳細な説明】
【技術分野】
【０００１】
本発明は定着温度制御装置および画像形成装置に係り、トナーを用いた複写機、プリンタ、ファクシミリ機又はこれらの機能を有するデジタル複合機（ＭＦＰ：Multi Function Peripheral）等の画像形成装置に搭載して好適する定着温度制御装置、およびこれを搭載した当該画像形成装置の改良に関する。
【背景技術】
【０００２】
従来、この種の画像形成装置は、原稿から読み取った画像データに基づき回転感光体の表面に潜像を形成し、トナーカセットから供給したトナーによってその潜像からトナー像を形成し、その回転感光体とこれに加圧配置された加圧ローラとの間に用紙を搬送することによって用紙にトナー像を転写させ、その用紙を加熱ローラと加圧ローラ間に通し、転写トナーを加熱定着させて排紙する構成が良く知られている。
【０００３】
そして、その加熱ローラは、全体を効率良く均一に加熱制御するため、図示はしないが、長尺状の加熱ローラ本体内に、この中央部を中心に加熱するメインヒータと、両端部を中心に加熱するサブヒータとを内蔵している。
【０００４】
しかも、加熱ローラの近傍には、その中央部の温度を加熱ローラに対して非接触状態で検出する中央温度検出器と、端部の温度を加熱ローラに対して接触状態で検出する端部温度検出部とを備え、中央温度検出器および端部温度検出部からの検出温度に基づき加熱ローラが定着可能温度（定着安定温度）になるよう、それらメインヒータおよびサブヒータを昇温制御する構成になっている。
【０００５】
なお、この種の画像形成装置において、一般に、加熱ローラを加熱開始してから所定の定着可能温度になるまでをウォームアップ期間と称している。
【０００６】
さらに、画像形成装置においては、加熱ローラが暖まった状態から次の印字要求のために加熱開始する場合、加熱ローラの中央部と端部とでは中央部の方が温度上昇の傾きが急であり、加熱ローラの端部温度がある程度低くても定着可能と判別し得るから、サブヒータの加熱開始温度に対応した定着可能温度を得る補正式を設定し、再加熱時には当該端部が補正式上の温度に達したとき、定着可能と判別している。
【０００７】
例えば、図４に示すように、加熱ローラ端部の加熱開始温度が常温相当温度２４℃から定着可能上限温度１５０℃間の温度毎に定着可能温度を求める一次補正式Ａを予め設定し、２４℃からウォームアップ開始する場合、加熱ローラの端部温度が１１０℃に昇温したとき定着可能温度到達（ウォームアップ完了）と判別し、６５℃からウォームアップ開始する場合、１２０℃に昇温したとき定着可能温度到達（ウォームアップ完了）と判別し、その後継続して定着可能上限温度まで昇温制御していた。
【０００８】
なお、図４の横軸は加熱ローラの端部における加熱開始時点の検出温度、同図の縦軸は加熱ローラの端部における加熱開始時点の検出温度に対応する定着可能温度であり、加熱ローラの中央部におけるウォームアップ完了後の検出温度も示している（以下同じ。）。
【０００９】
ところで、この種の一般的な公知例を示すと、特開２００１−２４２７４３号公報（特許文献１）の定着器の温度検出用非接触温度センサの補正方法及び定着器の温度制御方法がある。
【先行技術文献】
【特許文献】
【００１０】
【特許文献１】特開２００１−２４２７４３号公報
【発明の概要】
【発明が解決しようとする課題】
【００１１】
しかしながら、上述した従来技術では、加熱ローラを再加熱する場合、加熱ローラの端部温度が常温相当温度２４℃から定着可能上限温度１５０℃に至るまで、１本の一次補正式Ａを用いてウォームアップ完了を判定していたので、常温相当温度２４℃から定着可能上限温度１５０℃まで個々の開始温度については大まかな判別しか行われておらず、ウォームアップ期間の短縮化および消費電力の低減の余地がある。
【００１２】
特に、省エネルギー規格であるエナジースター中のＴＥＣ（標準消費電力）測定方法では、装置が暖まった状態からの印字要求が生じた場合のウォームアップ期間の短縮化および消費電力低減の要請がある。
【００１３】
そこで、本発明者は、画像形成装置における加熱ローラの加熱開始時の温度や定着可能温度について鋭意観察検討した結果、上述した補正式を細かく設定すれば、ウォームアップ期間を短縮させて省電力化を図ることが容易である点に着目し、本発明を完成させた。
【００１４】
本発明はそのような課題を解決するためになされたもので、ウォームアップ期間の短縮化および省電力化の可能な画像形成装置の定着温度制御装置および当該画像形成装置の提供を目的とする。
【課題を解決するための手段】
【００１５】
そのような課題を解決するために本発明の請求項１に係る定着温度制御装置は、画像形成装置に配置された加熱ローラ本体と、この加熱ローラ本体に内蔵されこの中央部を中心に加熱するメイン加熱部と、その加熱ローラ本体に内蔵されこの端部を中心に加熱するサブ加熱部と、その加熱ローラ本体中央部の温度を検出する中央温度検出部と、その加熱ローラ本体端部の温度を検出する端部温度検出部と、それら中央温度検出部および端部温度検出部の検出温度に基づきそれらメイン加熱部およびサブ加熱部を昇温制御する温度制御部とを具備し、その温度制御部は、加熱ローラ本体端部における低温側の定着可能温度と高温側の定着可能温度との間を、加熱ローラ本体端部の加熱開始温度に対応して定着可能温度が上昇する温度特性であって傾きの小さいものから複数の温度特性で結んでなる折れ線特性が設定され、加熱ローラ本体の端部温度が加熱開始温度に対応する折れ線特性上の温度に達したとき、その加熱ローラ本体端部が定着可能温度に達したと判別する機能を有している。
【００１６】
本発明の請求項２に係る定着温度制御装置は、上記温度制御部に、連続する２本の温度特性からなるその折れ線特性を設定した構成を有している。
【００１７】
本発明の請求項３に係る定着温度制御装置は、上記温度制御部に、その低温側の定着可能温度として加熱ローラ本体端部の定着可能下限温度を、その高温側の定着可能温度として加熱ローラ本体端部の定着可能上限温度を用い、それらの間でその折れ線特性を設定した構成を有している。
【００１８】
本発明の請求項４に係る定着温度制御装置は、少なくともサブ加熱部を昇温制御してから所定期間内に再加熱するとき、上記温度制御部がその折れ線特性に基づき定着可能温度に達したと判別する構成を有している。
【００１９】
本発明の請求項５に係る画像形成装置は、上記請求項１〜４いずれか１記載の定着温度制御装置と、その画像データに基づき画像形成する画像像形成部とを有している。
【発明の効果】
【００２０】
このような本発明の請求項１に係る定着温度制御装置では、加熱ローラ本体端部における低温側の定着可能温度と高温側の定着可能温度との間を、加熱ローラ本体端部の加熱開始温度に対応して定着可能温度が上昇する温度特性であって傾きの小さいものから複数の温度特性で結んでなる折れ線特性に基づき、加熱ローラ本体の端部温度が加熱開始温度に対応する折れ線特性上の温度に達したとき、温度制御部にて加熱ローラ本体端部が定着可能温度に達したと判別するから、個々の加熱開始温度に対応し、ウォームアップ期間の短縮化および省電力化が可能になる。
【００２１】
本発明の請求項２に係る定着温度制御装置では、連続する２本の温度特性からなるその折れ線特性を上記温度制御部に設定してなるから、折れ線特性の設定が簡素化され、より一層ウォームアップ期間の短縮化および省電力化が可能になる。
【００２２】
本発明の請求項３に係る定着温度制御装置では、その低温側の定着可能温度として加熱ローラ本体端部の定着可能下限温度を、その高温側の定着可能温度として加熱ローラ本体端部の定着可能上限温度を用い、それらの間でその折れ線特性を上記温度制御部に設定するから、ウォームアップ期間の短縮化および省電力化とともに、正確な定着可能温度の判別も可能である。
【００２３】
本発明の請求項４に係る定着温度制御装置では、少なくともサブ加熱部を昇温制御してから所定期間内に再加熱するとき、上記温度制御部がその折れ線特性に基づき定着可能温度に達したと判別するから、所定期間内に再加熱するとき、ウォームアップ期間の短縮化および省電力化をより一層確実になし得る。
【図面の簡単な説明】
【００２４】
【図１】本発明に係る定着温度制御装置を画像形成装置とともに実施の形態を示す概略ブロック図である。
【図２】本発明に係る画像形成装置の内部構成を示す要部構成図である。
【図３】本発明に係る定着温度制御装置の主要部を説明する図である。
【図４】本発明および従来の定着温度制御装置の動作を説明する図である。
【発明を実施するための形態】
【００２５】
以下、本発明に係る定着温度制御装置および画像形成装置の実施の形態を図面を参照して説明する。
【００２６】
なお、本発明の定着温度制御装置は、本発明に係る画像形成装置を説明する過程で説明する。
【００２７】
図１は本発明に係る定着温度制御装置を含む画像形成装置の実施の形態を示す概略ブロック図であり、図２は図１の画像形成装置の内部構成を説明する要部構成図である。
【００２８】
図１において、画像形成装置Ａは、主制御部１を中心としてこれに接続された画像読取部３、記憶部５、操作パネル部７、印刷装置９、通信部１１を有して構成された例えば複合機である。画像形成装置Ａは、これら以外にも構成要素を有するが、本発明の要部ではないので説明および図示を省略する。なお、主制御部１の機能については後述する。
【００２９】
画像読取部３は、主制御部１の制御の下、図２に示すように、本体ケース１３の上部に配置され、原稿から画像を光学的に読み込み、フィルタ処理等した電子的な画像データを印刷ジョブとして生成する公知のスキャナであり、生成した画像データが原稿の頁毎に記憶部５に順次記憶されるようになっている。
【００３０】
図１の記憶部５は、主制御部１の制御の下、画像読取部３又は通信部１１からの画像データ、後述する補正式等を記憶する読み書き可能な不揮発性メモリ、例えばハードディスク（ＨＤＤ）である。
【００３１】
操作パネル部７は、図２に示すように、本体ケース１３の上部に配置された公知の例えば液晶ディスプレイ表示部とタッチスイッチ式の入力部を兼ねたものであり、主制御部１の制御の下、画像形成装置Ａにおける動作状態、諸データ等を表示する表示部であるとともに、当該機器Ａの操作指示入力を受け付ける操作部である。
【００３２】
図１の印刷装置９は、主制御部１の制御の下、図２に示すように、用紙のセットされる給紙段１５と、この給紙段１５から１次給紙されて搬送された用紙を所定の間隔をおいて２次給紙するレジストローラ１７と、記憶部５から読み出した画像データに基づきトナーカセット１９からのトナーによってトナー像が形成される回転感光体２１と、２次給紙された用紙にトナー像を転写するために回転感光体２１に圧接配置された加圧ローラ２３と、回転感光体２１および加圧ローラ２３の下流側に位置する加熱ローラ２５と加圧ローラ２７からなり転写トナー像を定着する定着部２９とを有する、例えばモノクロ又はカラーの画像形成部である。
【００３３】
印刷装置９には、図１に示すように、定着温度制御装置３１が含まれるが、詳細は後述する。
【００３４】
通信部１１は、主制御部１の制御の下で、外部の図示しない画像形成装置等との間で画像データ等を送受信する機能を有している。
【００３５】
主制御部１は、ＣＰＵ、このＣＰＵの起動プログラムを記憶したＲＯＭ、作業用のＲＡＭその他を有し、動作プログラムによって画像読取部３、記憶部５、操作パネル部７、入出力部１３、印刷装置９、通信部１１を制御し、画像読取部３から読み取られ記憶部５に格納された画像データを印刷装置９に渡して印刷制御（画像形成制御）する機能を有している。
【００３６】
次に、上述した本発明の定着温度制御装置を説明する。
【００３７】
本発明の定着温度制御装置３１は、図３に示すように、加熱ローラ２５、中央温度検出部Ｓ１、端部温度検出部Ｓ２および温度制御部３３とを有して形成されている。
【００３８】
加熱ローラ２５は、本体ケース１３（図３では図示せず。）に直接又は間接的に回転自在に軸支された長尺状にして円筒形の加熱ローラ本体３５と、この加熱ローラ本体３５内部にあって軸方向の中央部に内蔵配置され、当該加熱ローラ本体３５の中心部を加熱するメイン加熱部Ｈ１と、当該加熱ローラ本体３５内部にあって中央部を挟む軸方向の両端部に内蔵配置され、その当該加熱ローラ本体３５の両端部を中心に加熱するサブ加熱部Ｈ２とを有している。
【００３９】
なお、加熱ローラ２５には、これと軸方向寸法の同じ加圧ローラ２７が当接されるが、便宜上、図３では図示を省略した。
【００４０】
メイン加熱部Ｈ１およびサブ加熱部Ｈ２は、例えばハロゲンヒータ等のヒータランプからなり、電源部３７からスイッチ部ＳＷ１、ＳＷ２を介して印加される駆動電力によって加熱される。
【００４１】
電源部３７は、メイン加熱部Ｈ１およびサブ加熱部Ｈ２に直流又は交流の駆動電源を印加して加熱させる公知のものである。
【００４２】
スイッチ部ＳＷ１、ＳＷ２は、後述するように温度制御部３３によってオンオフ制御される機械的又は電子的スイッチであり、オン制御時に電源部３７から駆動電力をメイン加熱部Ｈ１およびサブ加熱部Ｈ２に印加して加熱させ、オフ制御時に電源部３７からの駆動電力を遮断してメイン加熱部Ｈ１およびサブ加熱部Ｈ２の加熱を停止させる機能を有している。
【００４３】
中央温度検出部Ｓ１は、加熱ローラ２５の中央部においてその外周と僅かの間隔を置いて配置され、加熱ローラ２５中央部の温度をそれと非接触状態で検出するサーミスタ等からなる非接触形温度センサであり、端部温度検出部Ｓ２は、加熱ローラ２５端部外周に接触するように配置され、加熱ローラ２５の端部温度を接触状態で検出するサーミスタ等からなる接触形温度センサであり、何れも検出信号を温度制御部３３に出力するようになっている。
【００４４】
温度制御部３３は、図示しない主電源のオン動作に連動してスイッチ部ＳＷ１、ＳＷ２をオン制御し、メイン加熱部Ｈ１およびサブ加熱部Ｈ２を定着可能上限温度まで昇温制御するとともに、中央温度検出部Ｓ１および端部温度検出部Ｓ２からの検出信号に基づき、定着可能上限温度を超えて昇温されたときスイッチ部ＳＷ１、ＳＷ２をオフ制御するとともに定着可能上限温度を超えて低下したときスイッチ部ＳＷ１、ＳＷ２をオン制御し、加熱ローラ２５の中央部および端部の温度を定着可能上限温度に安定制御する機能を有している。
【００４５】
温度制御部３３は、加熱ローラ２５が暖まっている状態で、メイン加熱部Ｈ１およびサブ加熱部Ｈ２を再加熱するとき、スイッチ部ＳＷ１、ＳＷ２をオン制御するとともに、後述する補正式によって定着可能と判別する機能を有している。
【００４６】
加熱ローラ２５が暖まっている状態とは、主電源がオフ動作された後や、上述した操作パネル部７が数分間操作されずに再起動に必要な部分以外への電源が遮断されるスリープモードに移行した後、所定期間、例えば数分〜３０分以内の状態であり、メイン加熱部Ｈ１およびサブ加熱部Ｈ２を再加熱する形態とは、主電源のオン動作やスリープモードから通常モード移行に起因してそれらを再加熱する形態が考えられる。
【００４７】
温度制御部３３は、加熱ローラ本体３５の端部における定着可能下限温度と定着可能上限温度との間を、加熱ローラ本体３５端部の加熱開始温度に対応する定着可能温度の温度特性であって、傾きの小さいものから複数の温度特性で結んでなる折れ線特性が設定されており、加熱ローラ本体３５端部温度が加熱開始温度に対応する折れ線特性上の温度に達したとき、加熱ローラ本体３５の端部が定着可能温度に達したと判別する機能を有している。
【００４８】
すなわち、温度制御部３３には、上述した図４に示すように、加熱ローラ本体３５端部において常温相当温度２４℃から６５℃までの加熱開始温度に対応する定着可能温度１１０℃〜１１５℃を得る一次補正式Ｂと、これに連続して６５℃から定着可能上限温度１５０℃までの加熱開始温度に対応する定着可能温度１１５℃〜１５０℃を得る一次補正式Ｃとを連続して結んだ折れ線特性が予め設定されている。
【００４９】
温度制御部３３は、加熱ローラ本体３５（加熱ローラ２５）を２４℃からウォームアップする場合、加熱ローラ本体３５の端部温度が１１０℃に昇温したとき定着可能温度到達（ウォームアップ完了）と判別し、６５℃からウォームアップする場合、１１５℃に昇温したとき定着可能温度到達（ウォームアップ完了）と判別し、その後継続して定着可能上限温度までメイン加熱部Ｈ１およびサブ加熱部Ｈ２を昇温制御する機能を有している。
【００５０】
次に、上述した本発明の定着温度制御装置の動作の一例を簡単に説明する。
【００５１】
例えば一日の作業を開始する際に、使用者が画像形成装置Ａの主電源をオン動作して印刷動作を開始すると、温度制御部３３が、スイッチ部ＳＷ１、ＳＷ２をオン制御し、メイン加熱部Ｈ１およびサブ加熱部Ｈ２を定着可能上限温度まで昇温制御し、印刷動作を確保する。
【００５２】
その後、主電源がオフ動作されたりスリープモードに移行した後、加熱ローラ２５が暖まっている状態の下で、主電源のオン動作や通常モード移行操作があり、メイン加熱部Ｈ１およびサブ加熱部Ｈ２を再加熱するとき、温度制御部３３は、上述した一次補正式Ｂ、Ｃからなる折れ線特性を参照し、加熱ローラ本体３５の端部温度が、当該加熱開始温度に対応する折れ線特性上の温度に達したとき、加熱ローラ本体３５端部が定着可能温度に達したと判別し、印刷装置９の動作を確保する。
【００５３】
例えば、加熱ローラ２５の暖まっている状態が６５℃であれば、温度制御部３３は、メイン加熱部Ｈ１およびサブ加熱部Ｈ２を再加熱制御するとともに、中央温度検出部Ｓ１および端部温度検出部Ｓ２からの検出信号に基づき、加熱ローラ本体３５端部温度が定着可能温度１１５℃に達したと判別すると、定着可能温度到達と判別する。
【００５４】
そのため、従来の構成では、加熱ローラ本体３５端部の加熱開始温度が６５℃であれば定着可能温度が１２０℃であったものが、本発明の構成では１１５℃で定着可能と判別でき、ウォームアップ完了までの期間が「約１秒」短縮される。この「１秒」の短縮はウォームアップ期間の大幅な短縮であり、これに伴う省電力化寄与も大きい。
【００５５】
このように本発明の定着温度制御装置は、画像形成装置に配置された加熱ローラ本体３５と、この加熱ローラ本体３５に内蔵されこの中央部を中心に加熱するメイン加熱部Ｈ１と、その加熱ローラ本体３５に内蔵されこの端部を中心に加熱するサブ加熱部Ｈ２と、その加熱ローラ本体中央部の温度を検出する中央温度検出部Ｓ１と、その加熱ローラ本体３５端部の温度を検出する端部温度検出部Ｓ２と、それら中央温度検出部Ｓ１および端部温度検出部Ｓ２の検出温度に基づきそれらメイン加熱部Ｈ１およびサブ加熱部Ｈ２を昇温制御する温度制御部３３と、を具備している。
【００５６】
しかも、温度制御部３３は、加熱ローラ本体３５端部における定着可能下限温度と定着可能上限温度との間を、加熱ローラ本体３５端部の加熱開始温度に対応して定着可能温度が上昇する温度特性であって傾きの小さいものから２本の温度特性で結んでなる折れ線特性が設定され、加熱ローラ本体３５端部温度が加熱開始温度に対応する折れ線特性上の温度に達したとき、その加熱ローラ本体の端部が定着可能温度に達したと判別する機能を有している。
【００５７】
そのため、本発明の定着温度制御装置では、加熱ローラ２５の端部が定着可能温度に達したと判別する時点が正確になってウォームアップ期間の短縮化および最適化されるから、これに伴って省電力化も可能になる。
【００５８】
さらに、連続する２本の温度特性からなる折れ線特性を温度制御部３３に設定して構成するから、折れ線特性の設定が簡素化されるとともに、動作が高速化され、より一層、ウォームアップ期間の短縮化および省電力化が可能になる。
【００５９】
もっとも、本発明の定着温度制御装置においては、連続する２本の温度特性からなる折れ線特性に限定されず、傾きの異なる複数の温度特性を傾きの小さいものから連続させた折れ線特性を用いれば本発明の目的達成が可能である。
【００６０】
さらに、本発明の定着温度制御装置では、加熱ローラ本体３５端部における定着可能下限温度と定着可能上限温度との間を結ぶ折れ線特性を設定する構成に限らず、加熱ローラ本体３５端部温度について、所定の低温側の定着可能温度と高温側の定着可能との間を折れ線特性を結ぶ設定であっても良い。
【００６１】
しかも、本発明の定着温度制御装置では、加熱ローラ２５が暖まっている状態、例えば、主電源がオフ動作された後やスリープモードに移行した後、数分〜３分以内の状態において、メイン加熱部Ｈ１およびサブ加熱部Ｈ２、特にサブ加熱部Ｈ２を再加熱するとき、その折れ線特性に基づき定着可能と判別する構成に限定されないが、少なくともサブ加熱部Ｈ２を一度昇温してから所定期間内に再加熱するとき、ウォームアップ期間の短縮化および省電力化をより一層確実になし得る利点がある。
【００６２】
上述した本発明に係る定着温度制御装置を搭載した本発明の画像形成装置Ａにおいても、定着温度制御装置と同様の効果を得ることが可能である。
【符号の説明】
【００６３】
１  主制御部
３  画像読取部
５  記憶部
７  操作パネル部（表示部、入力部）
９  印刷装置
１１  通信部
１３  本体ケース
１５  給紙段
１７  レジストローラ
２１  回転感光体
２３、２７  加圧ローラ
２５  加熱ローラ
２９  定着部
３１  定着温度制御装置
３３  温度制御部
３５  加熱ローラ本体
３７  電源部
Ａ  画像形成装置（複合機）
Ｈ１  メイン加熱部
Ｈ２  サブ加熱部
ＳＷ１、ＳＷ２  スイッチ部
【図１】
2011059490.tif 000003
【図２】
2011059490.tif 000004
【図３】
2011059490.tif 000005
【図４】
2011059490.tif 000006